(57)【特許請求の範囲】
【請求項１】
光源と、
該光源に電力を供給する電源回路部と、
前記電源回路部の少なくとも一部を収容し、前記電源回路部からの熱を放熱する放熱部とを備える照明装置において、
前記電源回路部は、変圧器が設けられた基板を有し、
前記変圧器は、低電圧側の端子が前記基板の縁部の側になるように設けてあり、
前記基板は、前記低電圧側の端子が位置する縁部を前記放熱部に近接させるように設けてあることを特徴とする照明装置。
【請求項２】
前記低電圧側の端子と前記放熱部の間隔は、所定の絶縁距離であることを特徴とする請求項１に記載の照明装置。
【請求項３】
前記放熱部は、一面に前記光源を保持する光源保持部を備え、
前記基板は、前記低電圧側の端子が前記光源保持部の前記一面と反対側の他面に近接するように、前記放熱部に設けてあることを特徴とする請求項１又は２に記載の照明装置。
【請求項４】
前記放熱部と前記変圧器の間に熱伝導体が介挿してあることを特徴とする請求項１から請求項３のいずれか１つに記載の照明装置。
【請求項５】
前記光源はＬＥＤであることを特徴とする請求項１から請求項４のいずれか１つに記載の照明装置。
【発明の詳細な説明】
【技術分野】
【０００１】
本発明は、光源に電力を供給する電源回路部からの熱を放熱する放熱部を備える照明装置に関する。
【背景技術】
【０００２】
照明装置は、光源と、該光源からの熱を放熱する放熱部と、前記光源に電力を供給する電源回路部とを備えている。一般に、白熱電球等の電球型の照明装置においては、放熱部の内部の空洞に電源回路部を収容するように構成してある（例えば、特許文献１参照）。      
【０００３】
特許文献１に開示されたランプ装置５１１は、複数の発光ダイオード（以下、ＬＥＤという）５３５を有するＬＥＤ基板（光源）５１３と、ＬＥＤ５３５を点灯制御する点灯回路５４２を有する点灯回路基板（電源回路部）５１４と、ＬＥＤ基板５１３及び点灯回路基板５１４を内部に収容するケース体（放熱部）５１２とを備えている（図９参照）。ケース体５１２は、熱伝導性を有し内部にＬＥＤ基板５１３を収容する略円筒状のケース５２１と、該ケース５２１に取付けられ内部に点灯回路基板５１４を収容する略円筒状のカバー体５２２とを有している。ＬＥＤ５３５からの熱は、ＬＥＤ基板５１３が取付けられる基板取付部５２１ｆを介してケース５２１及びカバー体５２２に伝達され、ランプ装置５１１の外部に放熱される。
【先行技術文献】
【特許文献】
【０００４】
【特許文献１】特開２０１０−４０２２３号公報
【発明の概要】
【発明が解決しようとする課題】
【０００５】
ところで、特許文献１に係るランプ装置５１１の如く、電源回路部を放熱部の内部に収容する照明装置において、照明装置を小型化するためには、電源回路部を小型化する必要がある。電源回路部を構成する部品のうち変圧器（発熱部品）が比較的大きな部品であるから、変圧器の小型化を図ることが必要となる。変圧器を小型化するためには、変圧器を構成する１次側及び２次側の巻線の線径、コアの寸法を小さくする必要がある。巻線の線径、コアの寸法は、温度が高くなるに従って電気抵抗が大となるため、大きくする必要があるから、変圧器の温度上昇を抑えることが重要となる。
【０００６】
特許文献１に係るランプ装置においては、カバー体５２２の内部に設けられ、点灯回路基板５１４を収容する絶縁カバー５３１の内部に、点灯回路基板５１４を埋没させるように放熱性及び絶縁性を有する充填材を充填してもよいことが開示してある。しかしながら、点灯回路基板５１４を構成する変圧器５４３ａ等の回路素子５４３と金属製のカバー体５２２との間には、充填材及び絶縁カバー５３１が介在しており、回路素子５４３と金属製のケース５２１との間は、隙間５４８を有して離間してあるから、変圧器５４３ａ等の回路素子５４３からの熱をケース体５１２に十分に伝達することができないという問題があった。
【０００７】
本発明は斯かる事情に鑑みてなされたものであり、電源回路部からの熱を効率良く放熱することができる照明装置を提供することを目的とする。
【課題を解決するための手段】
【０００８】
本発明に係る照明装置は、光源と、該光源に電力を供給する電源回路部と、前記電源回路部の少なくとも一部を収容し、前記電源回路部からの熱を放熱する放熱部とを備える照明装置において、前記電源回路部は、変圧器が設けられた基板を有し、前記変圧器は、低電圧側の端子が前記基板の縁部の側になるように設けてあり、前記基板は、前記低電圧側の端子が位置する縁部を前記放熱部に近接させるように設けてあることを特徴とする。
【０００９】
本発明にあっては、発熱部品としての変圧器が、放熱部に近接する基板の縁部に、該縁部の側に低電圧側の端子が位置するように設けてあるから、放熱部と変圧器とを近接させることができ、変圧器の発熱を放熱部に効率良く伝達し確実に放熱することができる。
【００１０】
本発明に係る照明装置は、前記低電圧側の端子と前記放熱部の間隔は、所定の絶縁距離であることを特徴とする。
【００１１】
本発明にあっては、低電圧側の端子と放熱部の間に所定の絶縁距離を確保してあるから、金属製の放熱部との接触による感電事故の発生を未然に防止し、安全性を確保することができる。
【００１２】
本発明に係る照明装置は、前記放熱部は、一面に前記光源を保持する光源保持部を備え、前記基板は、前記低電圧側の端子が前記光源保持部の前記一面と反対側の他面に近接するように、前記放熱部に設けてあることを特徴とする。
【００１３】
本発明にあっては、光源からの熱を放熱するように放熱部を設けてあるから、光源と変圧器とで放熱部を共用し、部品点数を低減することができる。
【００１４】
本発明に係る照明装置は、前記放熱部と前記変圧器の間に熱伝導体が介挿してあることを特徴とする。
【００１５】
本発明にあっては、近接する放熱部と変圧器との間に熱伝導体が介挿してあるから、変圧器から放熱部への熱伝達をより良好に行わせ、変圧器の発熱をより確実に放熱することができる。
【００１６】
本発明に係る照明装置は、前記光源はＬＥＤであることを特徴とする。
【発明の効果】
【００１７】
本発明の照明装置によれば、発熱部品としての変圧器等を備える電源回路部からの熱を効率良く放熱することができる。
【図面の簡単な説明】
【００１８】
【図１】本発明の実施の形態に係る照明装置の模式的外観斜視図である。
【図２】本実施の形態に係る照明装置の模式的分解斜視図である。
【図３】本実施の形態に係る照明装置の要部の模式的縦断面図である。
【図４】本実施の形態に係る照明装置の放熱部の模式的縦断面図である。
【図５】本実施の形態に係る照明装置の電源回路部の模式的平面図である。
【図６】図５のVI−VI矢視から見た電源回路部の模式的側面図である。
【図７】本実施の形態に係る照明装置の電源回路部の放熱構造の説明図である。
【図８】本実施の形態に係る照明装置の電源回路部の他の放熱構造の説明図である。
【図９】従来技術に係る照明装置の縦断面図である。
【発明を実施するための形態】
【００１９】
以下、本発明をその実施の形態を示す図面に基づいて詳述する。実施の形態に示す照明装置は、放物曲面状の外形を有する所謂ＰＡＲ（Ｐａｒａｂｏｌｉｃ  Ａｌｕｍｉｎｉｚｅｄ  Ｒｅｆｌｅｃｔｏｒ）型の照明装置である。図１は、本発明の実施の形態に係る照明装置の模式的外観斜視図である。図２は、本実施の形態に係る照明装置の模式的分解斜視図である。図３は、本実施の形態に係る照明装置の要部の模式的縦断面図である。
【００２０】
図中１は、光源としての光源モジュールである。光源モジュール１は、図３に示すように、円板状をなすＬＥＤ基板１１の一面に、ＬＥＤ１２を複数実装してなる。ＬＥＤ１２は、例えば、表面実装型ＬＥＤである。本実施の形態においては、ＬＥＤ基板１１の一面の周縁部に周方向に略等配をなして５つのＬＥＤ１２を設け、この環状に設けられたＬＥＤ１２の内側に、略同心をなして、角度を異ならせて、周方向に略等配をなして５つのＬＥＤ１２を設けている。なお、図２においては、ＬＥＤの記載は省略している。
【００２１】
このＬＥＤ基板１１の一面（ＬＥＤ１２が実装された面）には、該ＬＥＤ基板１１と略同一直径の反射シート１０が取付けてある。反射シート１０には、ＬＥＤ１２の配列に整合させて、ＬＥＤ１２の平面形状より若干大きい矩形穴が設けてある。反射シート１０は、高光反射率である材料製であり、例えば、ポリエチレンテレフタレート（ＰＥＴ）フィルムである。これにより、ＬＥＤ１２から出射される光がＬＥＤ基板１１に吸収されることなく反射シート１０の反射面において反射されるから、光源モジュール１から外部に出射される光量の低下を防ぐことができる。
【００２２】
光源モジュール１は、該光源モジュール１からの熱を放熱する放熱部２に取付けてある。図４は、本実施の形態に係る照明装置の放熱部２の模式的縦断面図である。放熱部２は、例えば、アルミニウム等の金属製である。放熱部２は、円板状をなし、光源モジュール１を保持する光源保持部２１を備えている。該光源保持部２１の一面２１ａには、光源モジュール１がＬＥＤ基板１１の他面（ＬＥＤ１２が実装された面と反対側の面）にて取付けてある。なお、光源モジュール１と光源保持部２１との間には、熱伝導シート又はグリースを介装する方がより望ましい。光源保持部２１は、ＬＥＤ１２からの熱を放熱部２の他の部分に伝達する伝熱部としても機能する。
【００２３】
光源保持部２１の他面２１ｂには、該光源保持部２１と同心をなす筒状の放熱筒２２が立設してある。放熱筒２２の端部は光源保持部２１の一面２１ａと平行な平面であり、該端部には、該放熱筒２２に同心をなす環状の溝２２ｃが設けてある。該溝２２ｃには、環状のシール材３０が嵌入してある。シール材３０には、周方向の３か所にネジ用穴を有する固定部が設けてある。なお、溝２２ｃは、シール材３０の形状に整合するように形成してある。
【００２４】
光源保持部２１の一面２１ａには、該光源保持部２１と同心をなす扁平な筒状の反射部２３が立設してある。反射部２３の内面２３ａは、鏡面加工が施してあることがより望ましい。鏡面加工を施すことにより、ＬＥＤ１２から出射され、反射部２３の内面２３ａに入射した光が、内面２３ａにて反射され、ＬＥＤ１２の光出射方向に沿う方向に出射されることになり、照明装置全体としての光利用効率、いわゆる装置効率を向上することができる。
【００２５】
反射部２３の端部の内縁部には、後述する透光板が取付けられる取付面２３ｂが形成してある。該取付面２３ｂには、環状の溝２３ｃが設けてある。溝２３ｃには、環状のパッキン２０が嵌入してある。パッキン２０により放熱部２と透光板との間を密着させることができ、水滴等の異物が内部に侵入することを防止することができる。この放熱部２の反射部２３と透光板により形成される空洞内に、前述した光源モジュール１が収容されることになる。
【００２６】
放熱筒２２及び反射部２３は、外周面が放熱筒２２から反射部２３に向けて拡径される滑らかな曲面（略放物曲面）となるように形成してある。この放熱筒２２及び反射部２３の外周面には、径方向外向きに長手方向に沿って突設された突条の複数のフィン２４が周方向に略等配をなして放熱部２の略全長に亘って設けてある。
【００２７】
光源保持部２１の他面２１ｂの放熱筒２２の内側には、後述する電源回路部からの熱を放熱部２の他の部分に伝達する矩形板状の伝熱板２５が立設してある。また、放熱筒２２の内側には、後述する電源回路部の電源基板を挟持する挟持部２６が伝熱板２５に適長離隔して該伝熱板２５と平行をなして設けてある。なお、放熱部２は、光源保持部２１、放熱筒２２、反射部２３、フィン２４及び伝熱板２５が一体的に形成されてなり、光源を保持する保持体としての機能を有すると共に、照明装置の外装体としての機能を有する。
【００２８】
この放熱部２の放熱筒２２の側には、絶縁体である筒状の絶縁ケース３を介して、光源である光源モジュール１に外部電源からの電力を供給する給電部である口金４が設けてある。
【００２９】
絶縁ケース３は、放熱部２を保持する筒状の放熱部保持筒３１と、口金４を保持する筒状の口金保持筒３２と、放熱部保持筒３１及び口金保持筒３２を連結する連結部３３とを備えている。これら放熱部保持筒３１、口金保持筒３２及び連結部３３は、例えば、樹脂等の電気絶縁材料製であり、一体成形してある。
【００３０】
放熱部保持筒３１は、放熱部２の放熱筒２２に内嵌する環状の突設部と、該突設部に周設され、放熱筒２２の端部が当接する当接面を有する鍔部３４とを備えている。鍔部３４には、周方向に略３等配をなして、ネジ用穴が設けてある。前述したシール材３０のネジ用穴は、該鍔部３４のネジ用穴に整合するように設けてある。口金保持筒３２の外周面には、口金に螺合するための螺子加工が施してある。
【００３１】
放熱部保持筒３１の端部には、電源基板の一部を係合する係合凹部３６（図２参照）が２つ設けてある。各係合凹部３６は、放熱部保持筒３１の内周面から内側に突設され、適長（挟持する電源基板の板厚に略等しい長さ）離隔する平行な２つの板部によりなる。２つの係合凹部３６は、絶縁ケース３の中心線を含む面に関して対称位置に設けてある。
【００３２】
口金４は、有底円筒形状を有しており、電球用のソケットと螺合するための螺子加工が円筒部に施されてなる一極端子４１と、口金４の底面に突設された他極端子４２とを備えている。これら一極端子４１と他極端子４２とは電気的に絶縁してある。なお、口金４の円筒部の外形状は、例えばＥ２６のねじ込み形口金と同一形状に形成してある。この口金４の一極端子４１及び他極端子４２夫々には、電線（図示せず）の一端が半田付等により固定してある。
【００３３】
この口金４は、口金４の内部に絶縁ケース３の口金保持筒３２を挿入して固定することにより、絶縁ケース３と一体化してある。口金４が取付けられた絶縁ケース３は、放熱部保持筒３１の側から放熱部２の放熱筒２２の内部に挿入し、ネジ２８により固定することにより、放熱部２に一体化してある。より詳細には、放熱部２の放熱筒２２の端部に設けた溝２２ｃにシール材３０を、放熱筒２２の端部に設けたネジ用穴にシール材３０のネジ用穴が整合するように嵌入して、これらのネジ用穴に放熱部保持筒３１の鍔部３４に設けたネジ用穴が整合するように、絶縁ケース３の放熱部保持筒３１の鍔部３４を放熱部２の放熱筒２２に当接させた状態において、ネジ２８をネジ用穴に螺合させることにより、絶縁ケース３を放熱部２に固定してある。シール材３０により、放熱部２と絶縁ケース３との間を密着させることができ、水滴等の異物が内部に侵入することを防止することができる。
【００３４】
このように一体化された放熱部２と絶縁ケース３とにより形成される空洞内には、電線を介して光源モジュール１に所定の電圧及び電流の電力を供給するための電源回路部７が収容してある。図５は、本実施の形態に係る照明装置の電源回路部７の模式的平面図である。図６は、図５のVI−VI矢視から見た電源回路部７の模式的側面図である。
【００３５】
電源回路部７は、収容される空洞の縦断面形状に応じた形状を有する電源基板７１と、該電源基板７１に実装された複数の電源回路部品とを備えてなる。電源基板７１の一面７１ａ及び他面７１ｂには、外部交流電源から供給される交流電流を全波整流するブリッジダイオード、整流後の電源電圧を所定の電圧に変圧する変圧器７２１、変圧器の１次側及び２次側に接続されたダイオード、ＩＣ等の電源回路部品が分配して実装してある。なお、電源基板７１として、例えば、ガラスエポキシ基板、紙フェノール基板等が用いられる。
【００３６】
電源回路部７の電源基板７１の一面７１ａには、発熱部品としての変圧器７２１を含む複数の電源回路部品７２が実装してあり、電源基板７１の他面７１ｂには、一面７１ａに実装される電源回路部品７２（変圧器７２１を除く）と比較して、供給される電流による発熱量が比較的多い電源回路部品７３が実装してある。
【００３７】
発熱部品である変圧器７２１は、１次２次絶縁型の変圧器であり、コア７２１ａと、該コア７２１ａに巻回された１次側巻線及び２次側巻線からなる巻線部７２１ｂと、１次側巻線に接続される入力端子７２１ｃと、２次側巻線に接続される出力端子７２１ｄとを備えている。変圧器７２１は、１次側の入力端子７２１ｃから入力された、例えば１２０Ｖの電圧を、２つの巻線間の相互誘導により、１次側及び２次側の巻線数比に応じた電圧に変換して、変換した電圧を２次側の出力端子７２１ｄから出力する。この実施の形態において、変圧器７２１の２次側の方が低電圧となっており、変圧器７２１は、例えば、１２０Ｖの電圧を３０Ｖの電圧に降圧するように構成してある。
【００３８】
変圧器７２１は、図５及び図６に示すように、低電圧側の端子である出力端子７２１ｄが電源基板７１の縁部の側になるように、電源基板７１の縁部に実装してある。以上のように、変圧器７２１を含む電源回路部品が実装された電源基板７１は、放熱部２及び絶縁ケース３により形成される空洞内に、放熱部２及び絶縁ケース３にて保持してある。
【００３９】
図７は、本実施の形態に係る照明装置の電源回路部７の放熱構造の説明図であり、放熱部２への電源回路部７の取付部分近傍の部分拡大図である。電源回路部７は、電源基板７１の他面７１ｂの側（電源回路部品７３が実装してある側）が放熱部２の伝熱板２５の側になるように、２次側巻線に接続される出力端子７２１ｄの側が光源保持部２１の側になるように、電源基板７１の一部を、絶縁ケース３の放熱部保持筒３１の端部に設けられた係合凹部３６に係合させ、電源基板７１の他の一部を、放熱部２の放熱筒２２の内側に設けられた挟持部２６に夫々係合させることにより、放熱部２と絶縁ケース３とにより形成される空洞内に保持される。この保持状態において、電源回路部７は、図３に示すように、放熱部２及び絶縁ケース３により形成される空洞内に配されることになる。
【００４０】
電源回路部７は、放熱部２の光源保持部２１と変圧器７２１の出力端子７２１ｄとの間隔Ｇが安全上必要とされる所定の絶縁距離になるように、放熱部２に取付けてある。この間隔Ｇは、端子に供給される電圧の高低に応じて大小となる。即ち、本実施の形態においては、２次側の出力端子７２１ｄの方が、１次側の入力端子７２１ｃよりも間隔Ｇを小さくすることができ、放熱部２の光源保持部２１により近接させることができる。
【００４１】
放熱部２の光源保持部２１と変圧器７２１との間には、熱伝導体５が介挿してある。熱伝導体５は、変圧器７２１の光源保持部２１に近接する側面及び該側面に連続する上面の一部に亘って、具体的には、コア７２１ａの１側面及び上面の一部、並びに巻線部７２１ｂの一部に亘って配してある。熱伝導体５は、絶縁性を有する熱良導体であり、例えば、シリコーン樹脂を含む材料製である。変圧器７２１からの熱は、図７中に矢符にて示すように、熱伝導体５を介して光源保持部２１に伝達される。
【００４２】
この熱伝導体５は柔軟性がある粘土状であることが望ましい。熱伝導体５が柔軟性を有する粘土状とすることにより、放熱部２の光源保持部２１及び変圧器７２１の形状に応じて、熱伝導体５を柔軟に変形させることができるから、放熱部２及び変圧器７２１間に隙間なく熱伝導体５を介挿することができる。
【００４３】
なお、熱伝導体５は、電源回路部７を放熱部２の放熱筒２２の内側に挿入する前に、予め変圧器７２１の光源保持部２１に近接する側面及び該側面に連続する上面の一部に亘って配してある。電源回路部７の電源基板７１を挟持部２６に係合させるべく、電源回路部７を放熱部２の光源保持部２１に向けて押込んだときに、熱伝導体５は、粘土状であるから、柔軟性を有しており、光源保持部２１及び変圧器７２１の形状に応じて変形する。
【００４４】
例えば、光源保持部２１及び変圧器７２１間の間隔が、製造誤差等により若干大きく又は小さくなった場合にも、設計上の光源保持部２１及び変圧器７２１間の間隔よりも若干厚めに熱伝導体５を配しておくことにより、放熱部２及び変圧器７２１間に隙間なく熱伝導体５を介挿することができる。熱伝導体５が粘土状であり、粘性を有しているから、所望の厚みを維持することが容易である。また、光源保持部２１及び変圧器７２１間の間隔が製造誤差等により若干小さくなった場合に、熱伝導体５が粘土状であり、柔軟性を有しているから、電源回路部７の放熱部２の内部への挿入に従って熱伝導体５の周りの空間に向けてはみ出すように変形するから、変圧器７２１に作用する力を低減することができ、変圧器７２１（特に端子の半田付部分）等に悪影響を及ぼす虞はない。
【００４５】
電源基板７１の他面７１ｂと伝熱板２５との間には、矩形板状の熱伝導シート７６が介装してある。熱伝導シート７６は、電源基板７１の他面７１ｂに実装された電源回路部品７３の配置に応じて、適切に寸法及び配置が決定してある。この熱伝導シート７６として、絶縁性を有する熱良導体が用いられ、例えば、低硬度の難燃性のシリコーンゴム製が用いられる。電源回路部７、特に電源回路部品７３からの熱は、図７中に矢符にて示すように、熱伝導シート７６を介して伝熱板２５に伝達される。
【００４６】
電源回路部７には、口金４の一極端子４１及び他極端子４２にその一端が接続された電線の他端が接続してあり、電源回路部７は、口金４と電気的に接続してある。また、電源回路部７は、光源モジュール１と電線（図示せず）を介してコネクタにより電気的に接続してある。なお、電線ではなく、ピンプラグを用いて電気的に接続するようにしてもよい。
【００４７】
放熱部２の反射部２３の取付面２３ｂには、光源モジュール１の光出射方向の側を覆い、ＬＥＤ１２からの光を拡散しつつ透過する円板状の透光板８が取付けてある。透光板８の外縁部には、周方向に適長離隔して、放熱部２の反射部２３の端部及び／又は後述するリングカバーに設けられた係合部に係合する複数の係合部が設けてある。透光板８は、放熱部２の反射部２３の取付面２３ｂに外縁部を当接させて、ネジ等により放熱部２に固定してある。なお、透光板８は、例えば、耐衝撃性及び耐熱性に優れ、拡散剤が適宜添加された乳白色のポリカーボネート樹脂製である。
【００４８】
透光板８には、リングカバー９が取付けてある。リングカバー９は、透光板８と略同一直径の環状に形成してあり、外縁部に、放熱部２のフィン２４の形状に整合する形状の突設部が設けてある。なお、該突設部には、透光板８の前記係合部に係合する係合部が設けてある。
【００４９】
以上のように一体化された照明装置は、口金４を電球用のソケットに螺合することにより商用交流電源に接続される。この状態にて、電源を投入したとき、口金４を介して交流電流が電源回路部７に供給され、該電源回路部７にて整流された直流電流が光源モジュール１に供給され、ＬＥＤ１２が点灯する。
【００５０】
このＬＥＤ１２の点灯に伴って、主としてＬＥＤ１２及び電源回路部７が発熱する。ＬＥＤ１２からの熱は、光源保持部２１を介して放熱部２の他の部分に伝達され、放熱部２の他の部分（主としてフィン２４）から照明装置の外部の空気に放熱される。一方、電源回路部７の電源基板７１の一面７１ａに実装された変圧器７２１からの熱は、熱伝導体５を介して放熱部２の光源保持部２１に伝達され、放熱部２の他の部分（主としてフィン２４）から照明装置の外部の空気に放熱される。また、電源回路部７の電源基板７１の他面７１ｂに実装された電源回路部品７３からの熱は、熱伝導シート７６を介して放熱部２の伝熱板２５及び光源保持部２１に伝達され、放熱部２の他の部分（主としてフィン２４）から照明装置の外部の空気に放熱される。
【００５１】
以上の本実施の形態に係る照明装置は、発熱部品である変圧器７２１を電源基板７１の縁部に設け、前述した如く、電源回路部７を放熱部２に近接させて設けている。この近接する放熱部２と変圧器７２１の間に熱伝導体５が介挿してあるから、変圧器７２１からの熱を放熱部２に効率良く伝達することが可能となり、変圧器７２１からの熱を効率良く放熱することができる。
【００５２】
本実施の形態に係る照明装置は、熱伝導体５が粘土状であるから、放熱部２の光源保持部２１及び変圧器７２１の形状に応じて、熱伝導体５を柔軟に変形させることができ、放熱部２及び変圧器７２１間に隙間なく熱伝導体５を介挿することができる。この結果、変圧器７２１及び放熱部２の光源保持部２１間に殆ど空気等の気体が介在しないから、変圧器７２１及び光源保持部２１間の伝熱抵抗を小さくすることができ、変圧器７２１からの熱を光源保持部２１により効率良く伝達することができ、変圧器７２１からの熱をより効率良く放熱することができる。
【００５３】
また、熱伝導体５が粘土状であるから、例えば、光源保持部２１及び変圧器７２１間の間隔が、製造誤差等により若干大きく又は小さくなった場合にも、前述したように、放熱部２及び変圧器７２１間に隙間なく熱伝導体５を介挿することができる。また、例えば、熱伝導体として熱伝導シート等の厚みが予め設定された部材を用い、光源保持部２１及び変圧器７２１間の間隔が製造誤差等により若干小さくなった場合に、電源回路部７を放熱部２に取付けたときに、設計上の間隔から実際の間隔を減算した値に応じた力が変圧器７２１に作用することになるが、本実施の形態においては、熱伝導体５が粘土状であり、柔軟性を有しているから、変圧器７２１に作用する力を低減することができ、変圧器７２１等に悪影響を及ぼす虞はない。
【００５４】
そして、２次側の端子である出力端子７２１ｄが、電源基板７１の縁部の側になるように、光源保持部２１に近接するように電源回路部７を放熱部２に設けている。本実施の形態の如く、放熱部２をアルミニウム等の金属製とした場合、安全上必要とされる所定の絶縁距離に対応する間隔Ｇは、端子に供給される電圧の高低に応じて大小となるから、電圧が低い側である出力端子７２１ｄの方が、１次側の入力端子７２１ｃよりも間隔Ｇを小さくすることができ、放熱部２の光源保持部２１に更に近接させることができる。この結果、変圧器７２１及び放熱部２間に介挿される熱伝導体５の厚みを薄くすることができるから、伝熱抵抗を更に低減することが可能となり、変圧器７２１からの熱を放熱部２により効率良く伝達することができ、変圧器７２１の放熱性を向上することができる。
【００５５】
以上のように、本実施の形態に係る照明装置においては、変圧器７２１の放熱性を向上することができるから、変圧器７２１の温度の上昇を抑制することができる。変圧器７２１の温度の上昇を抑制することができるから、電気抵抗の増大を抑制することができ、変圧器７２１の１次側及び２次側の巻線の線径を小さくすることができ、巻線部７２１ｂの寸法を小さくすることができると共に、コア７２１ａの寸法を小さくすることができる。この結果、変圧器７２１を小型化することができ、該変圧器７２１を内部に収容する照明装置を小型化することができる。
【００５６】
更に、光源からの熱を放熱する放熱部２を発熱部品である変圧器７２１からの熱を放熱する放熱部として用いているから、部品点数を低減することができ、照明装置を小型化することができる。
【００５７】
図８は、本実施の形態に係る照明装置の電源回路部７の他の放熱構造の説明図である。放熱部１０２の光源保持部２１の他面２１ｂの放熱筒２２の内側には、発熱部品である変圧器７２１からの熱を放熱部２の他の部分に伝達する矩形板状の伝熱板２７が伝熱板２５に平行に立設してある。
【００５８】
放熱部１０２の光源保持部２１及び伝熱板２７と変圧器７２１との間には、熱伝導体５が介挿してある。熱伝導体５は、変圧器７２１の光源保持部２１に近接する側面及び該側面に連続する上面（伝熱板２７に対向する面）に亘って、具体的には、コア７２１ａの１側面及び上面の一部、並びに巻線部７２１ｂの上面に亘って配してある。熱伝導体５は、絶縁性を有する熱良導体であり、例えば、シリコーン樹脂を含む材料製である。変圧器７２１からの熱は、熱伝導体５を介して光源保持部２１に伝達される。その他の構成は、図７に示す放熱機構と同様であるため、対応する構成部材に図７と同一の参照符号を付して、その構成の詳細な説明を省略する。
【００５９】
以上のように構成された放熱部１０２及び電源回路部７を備える他の放熱構造においては、巻線部７２１ｂの上面に亘って配してあるから、放熱部２及び電源回路部７を備える前述した放熱構造よりも、更に変圧器７２１の巻線部７２１ｂの温度の上昇を抑制することができる。この結果、巻線部７２１ｂの１次側及び２次側の巻線の線径を小さくすることができるから、変圧器７２１を更に小型化することができ、該変圧器７２１を内部に収容する照明装置を更に小型化することができる。
【００６０】
なお、以上の実施の形態においては、変圧器７２１の光源保持部２１に近接する側面及び該側面に連続する上面に亘って熱伝導体５が配してあるが、これに限定されず、変圧器７２１からの熱を放熱部に効率良く伝達可能なように、熱通過面積を確保するように、配してあればよい。また、熱伝導体５は、シリコーン系樹脂に限定されず、熱伝導性及び絶縁性に優れていれば良く、放熱シート、ボンド等も適用可能である。
【００６１】
また、以上の実施の形態においては、２次側の端子である出力端子７２１ｄが、電源基板７１の縁部の側になるように、電源回路部７を放熱部２に設けているが、１次側及び２次側のうち電圧が低い側の端子が電源基板７１の縁部の側になるように設けてあればよい。例えば、昇圧する変圧器においては、１次側の端子の側が電源基板７１の縁部の側になるように設けられることになる。
【００６２】
また、照明装置は、変圧器７２１の入力端子７２１ｃ及び／又は出力端子７２１ｄと放熱部との間隔が所定の間隔Ｇになるように構成してあればよく、例えば、入力端子７２１ｃ及び／又は出力端子７２１ｄの変圧器７２１における位置が、変圧器７２１の中央部の側の位置になるように、換言すると、入力端子７２１ｃ及び／又は出力端子７２１ｄを変圧器７２１の側面から内側に所定の間隔Ｇほど内側に位置するように、変圧器７２１を構成してもよい。
【００６３】
また、以上の実施の形態においては、発熱部品として変圧器７２１を例に説明したが、発熱部品は、これに限定されず、変圧器以外の電子部品でもよい。
【００６４】
また、以上の実施の形態においては、光源としてＬＥＤを用いた照明装置を例示したが、光源はＬＥＤに限定されず、白熱電球、蛍光灯、ＥＬ（ｅｌｅｃｔｒｏｌｕｍｉｎｅｓｃｅｎｃｅ）等の光源であってもよい。
【００６５】
更に、以上の実施の形態においては、電球用のソケットに取付ける照明装置を例に説明したが、本発明は、このような照明装置に限定されず、スポットライト、ダウンライト等の他のタイプの照明装置においても実施可能であり、その他、特許請求の範囲に記載した事項の範囲内において種々変更した形態にて実施することが可能であることは言うまでもない。
【符号の説明】
【００６６】
１  光源モジュール（光源）
２  放熱部
５  熱伝導体
７  電源回路部
７１  電源基板（基板）
７２，７３  電源回路部品
７２１  変圧器
【図１】
0005208286.tif 000002
【図２】
0005208286.tif 000003
【図３】
0005208286.tif 000004
【図４】
0005208286.tif 000005
【図５】
0005208286.tif 000006
【図６】
0005208286.tif 000007
【図７】
0005208286.tif 000008
【図８】
0005208286.tif 000009
【図９】
0005208286.tif 000010